(57)【要約】【課題】穴の開かない良好なシールド性のフィルタカバーを回路基板に実装する。【解決手段】フィルタカバー１１０は、フィルタの上部を覆うカバー上板１１１と、フィルタの側部の少なくとも一部を覆う少なくとも３面のカバー側板１１２１、１１２２、１１２３と、カバー上板の端部からカバー上板の上方に延在し、フィルタカバーのアース取りをするアース板ばね１１３とを有する形状を有する。まず、カバー上板となるべき上板部分と、少なくとも３面のカバー側板となるべき側板部分と、アース板ばねとなるべき板ばね部分とを有する平板状のカバーを、用意する。次に、平板状のカバーを上記形状に折り曲げてフィルタカバーを得、フィルタカバーを、平板状のカバーを上記形状に折り曲げた状態で、回路基板の主面に実装する。【選択図】      図１５
2007189136.tif 000002
【特許請求の範囲】
【請求項１】
回路基板の主面上に搭載されたフィルタの電磁シールドをするためのフィルタカバーを、前記主面に実装する方法であって、
前記フィルタカバーは、前記フィルタの上部を覆うカバー上板と、前記フィルタの側部の少なくとも一部を覆う少なくとも３面のカバー側板と、前記カバー上板の端部から前記カバー上板の上方に延在し、前記フィルタカバーのアース取りをするアース板ばねとを有する形状を有しているフィルタカバー実装方法において、
前記カバー上板となるべき上板部分と、前記少なくとも３面のカバー側板となるべき側板部分と、前記アース板ばねとなるべき板ばね部分とを有する平板状のカバーを、用意するステップと、
該平板状のカバーを上記形状に折り曲げて前記フィルタカバーを得るステップと、
前記フィルタカバーを、前記平板状のカバーを上記形状に折り曲げた状態で、前記カバー上板が前記フィルタの上部を覆い、かつ、前記少なくとも３面のカバー側板が前記フィルタの側部を覆うように、前記主面に実装するステップとを含むことを特徴とするフィルタカバー実装方法。
【請求項２】
請求項１に記載のフィルタカバー実装方法において、
前記フィルタは、ＳＡＷ（Surface Acoustic Wave：弾性表面波）フィルタであることを特徴とするフィルタカバー実装方法。
【請求項３】
回路基板の主面上に搭載されたフィルタの電磁シールドをするためのフィルタカバーを、前記主面に実装する方法であって、
前記フィルタカバーは、前記フィルタの上部を覆うカバー上板と、前記フィルタの側部を覆う４面のカバー側板と、前記カバー上板の端部から前記カバー上板の上方に延在し、前記フィルタカバーのアース取りをするアース板ばねとを有する形状を有しているフィルタカバー実装方法において、
前記カバー上板となるべき上板部分と、前記４面のカバー側板となるべき側板部分と、前記アース板ばねとなるべき板ばね部分とを有する平板状のカバーを、用意するステップと、
該平板状のカバーを上記形状に折り曲げて前記フィルタカバーを得るステップと、
前記フィルタカバーを、前記平板状のカバーを上記形状に折り曲げた状態で、前記カバー上板が前記フィルタの上部を覆い、かつ、前記４面のカバー側板が前記フィルタの側部を覆うように、前記主面に実装するステップとを含むことを特徴とするフィルタカバー実装方法。
【請求項４】
請求項３に記載のフィルタカバー実装方法において、
前記フィルタは、ＳＡＷ（Surface Acoustic Wave：弾性表面波）フィルタであることを特徴とするフィルタカバー実装方法。
【請求項５】
衛星波又は地上波を受信して受信信号を出力するアンテナ部と、前記受信信号を該受信信号の周波数よりも低い周波数を持つ周波数変換信号に変換する際に、前記周波数変換信号を通過させるのに用いられるフィルタと、前記周波数変換信号を音声信号に変換する復調部と、互いに対向する第１及び第２の主面を有する回路基板とを含み、
前記アンテナ部は、前記第１の主面上に搭載され、
前記フィルタ及び前記復調部は、前記第２の主面上に搭載されているアンテナ装置であって、
前記アンテナ装置は、前記第２の主面上に搭載され、前記フィルタの電磁シールドをするフィルタカバーを、更に備え、
前記フィルタカバーは、前記フィルタの上部を覆うカバー上板と、前記フィルタの側部の少なくとも一部を覆う少なくとも３面のカバー側板と、前記カバー上板の端部から前記カバー上板の上方に延在し、前記フィルタカバーのアース取りをするアース板ばねとを有する形状を有し、
前記フィルタカバーは、予め、前記カバー上板となるべき上板部分と、前記少なくとも３面のカバー側板となるべき側板部分と、前記アース板ばねとなるべき板ばね部分とを有する平板状のカバーを、上記形状に折り曲げた状態で、前記第２の主面に実装されていることを特徴とするアンテナ装置。
【請求項６】
請求項５に記載のアンテナ装置において、
前記フィルタは、ＳＡＷ（Surface Acoustic Wave：弾性表面波）フィルタであることを特徴とするアンテナ装置。
【請求項７】
衛星波又は地上波を受信して受信信号を出力するアンテナ部と、前記受信信号を該受信信号の周波数よりも低い周波数を持つ周波数変換信号に変換する際に、前記周波数変換信号を通過させるのに用いられるフィルタと、前記周波数変換信号を音声信号に変換する復調部と、互いに対向する第１及び第２の主面を有する回路基板とを含み、
前記アンテナ部は、前記第１の主面上に搭載され、
前記フィルタ及び前記復調部は、前記第２の主面上に搭載されているアンテナ装置であって、
前記アンテナ装置は、前記第２の主面上に搭載され、前記フィルタの電磁シールドをするフィルタカバーを、更に備え、
前記フィルタカバーは、前記フィルタの上部を覆うカバー上板と、前記フィルタの側部を覆う４面のカバー側板と、前記カバー上板の端部から前記カバー上板の上方に延在し、前記フィルタカバーのアース取りをするアース板ばねとを有する形状を有し、
前記フィルタカバーは、予め、前記カバー上板となるべき上板部分と、前記４面のカバー側板となるべき側板部分と、前記アース板ばねとなるべき板ばね部分とを有する平板状のカバーを、上記形状に折り曲げた状態で、前記第２の主面に実装されていることを特徴とするアンテナ装置。
【請求項８】
請求項７に記載のアンテナ装置において、
前記フィルタは、ＳＡＷ（Surface Acoustic Wave：弾性表面波）フィルタであることを特徴とするアンテナ装置。
【請求項９】
衛星波又は地上波を受信して受信信号を出力するアンテナ部と、前記受信信号を該受信信号の周波数よりも低い周波数を持つ周波数変換信号に変換する周波数変換部と、前記周波数変換信号を音声信号に変換する復調部と、前記音声信号を外部機器へ送出するための出力信号に変換するインターフェース部と、互いに対向する第１及び第２の主面を有する回路基板とを含み、
前記周波数変換部は、前記周波数変換信号を通過させるフィルタを含み、
前記アンテナ部は、前記第１の主面上に搭載され、
前記周波数変換部、前記復調部、前記インターフェース部、及び前記フィルタは、前記第２の主面上に搭載されているアンテナ装置であって、
前記アンテナ装置は、前記第２の主面上に搭載され、前記フィルタの電磁シールドをするフィルタカバーと、前記第２の主面上に、前記周波数変換部と前記復調部と前記インターフェース部と前記フィルタカバーとを覆うように、搭載され、前記周波数変換部と前記復調部と前記インターフェース部と前記フィルタカバーとの電磁シールドをする外部シールドカバーとを、更に備え、
前記フィルタカバーは、前記フィルタの上部を覆うカバー上板と、前記フィルタの側部の少なくとも一部を覆う少なくとも３面のカバー側板と、前記カバー上板の端部から前記カバー上板の上方に延在し、前記外部シールドカバーに対して接触することで、前記フィルタカバーのアース取りをするアース板ばねとを有する形状を有し、
前記フィルタカバーは、予め、前記カバー上板となるべき上板部分と、前記少なくとも３面のカバー側板となるべき側板部分と、前記アース板ばねとなるべき板ばね部分とを有する平板状のカバーを、上記形状に折り曲げた状態で、前記第２の主面に実装されていることを特徴とするアンテナ装置。
【請求項１０】
請求項９に記載のアンテナ装置において、
前記フィルタは、ＳＡＷ（Surface Acoustic Wave：弾性表面波）フィルタであることを特徴とするアンテナ装置。
【請求項１１】
衛星波又は地上波を受信して受信信号を出力するアンテナ部と、前記受信信号を該受信信号の周波数よりも低い周波数を持つ周波数変換信号に変換する周波数変換部と、前記周波数変換信号を音声信号に変換する復調部と、前記音声信号を外部機器へ送出するための出力信号に変換するインターフェース部と、互いに対向する第１及び第２の主面を有する回路基板とを含み、
前記周波数変換部は、前記周波数変換信号を通過させるフィルタを含み、
前記アンテナ部は、前記第１の主面上に搭載され、
前記周波数変換部、前記復調部、前記インターフェース部、及び前記フィルタは、前記第２の主面上に搭載されているアンテナ装置であって、
前記アンテナ装置は、前記第２の主面上に搭載され、前記フィルタの電磁シールドをするフィルタカバーと、前記第２の主面上に、前記周波数変換部と前記復調部と前記インターフェース部と前記フィルタカバーとを覆うように、搭載され、前記周波数変換部と前記復調部と前記インターフェース部と前記フィルタカバーとの電磁シールドをする外部シールドカバーとを、更に備え、
前記フィルタカバーは、前記フィルタの上部を覆うカバー上板と、前記フィルタの側部を覆う４面のカバー側板と、前記カバー上板の端部から前記カバー上板の上方に延在し、前記外部シールドカバーに対して接触することで、前記フィルタカバーのアース取りをするアース板ばねとを有する形状を有し、
前記フィルタカバーは、予め、前記カバー上板となるべき上板部分と、前記４面のカバー側板となるべき側板部分と、前記アース板ばねとなるべき板ばね部分とを有する平板状のカバーを、上記形状に折り曲げた状態で、前記第２の主面に実装されていることを特徴とするアンテナ装置。
【請求項１２】
請求項１１に記載のアンテナ装置において、
前記フィルタは、ＳＡＷ（Surface Acoustic Wave：弾性表面波）フィルタであることを特徴とするアンテナ装置。
【発明の詳細な説明】
【技術分野】
【０００１】
本発明は、デジタルラジオ放送の電波を受信するアンテナ装置及び該アンテナ装置に使用されるフィルタカバー実装方法に関する。
【背景技術】
【０００２】
近時、衛星波または地上波を受信して、デジタルラジオ放送を聴取可能にしたデジタルラジオ受信機が開発され、米国において実用化されている。このデジタルラジオ受信機は、自動車等の移動局に搭載され、周波数が約２．３ＧＨｚ帯の電波を受信してラジオ放送を聴取することが可能である。すなわち、デジタルラジオ受信機は、モバイル放送を聴取することが可能なラジオ受信機である。受信電波の周波数が約２．３ＧＨｚなので、そのときの受信波長（共振波長）λは約１２８．３ｍｍである。尚、地上波は、衛星波を一旦、地球局で受信した後、周波数を若干シフトし、直線偏波で再送信したものである。
【０００３】
この種の衛星波または地上波を受信する受信システムは、アンテナ部（アンテナ装置）とチューナ部（衛星ラジオチューナ）とを含む。アンテナ部（アンテナ装置）は衛星波または地上波を受信して高周波の受信信号を出力する。チューナ部（衛星ラジオチューナ）は、受信信号を該受信信号の周波数よりも低い周波数を持つ周波数変換信号に変換する周波数変換部を有する。この周波数変換信号は、具体的には、中間周波（ＩＦ：Intermediate Frequency）信号であり、２３ＭＨｚ帯の周波数の信号である。チューナ部（衛星ラジオチューナ）は、前記周波数変換信号を通過させるために、ＳＡＷ（Surface Acoustic Wave：弾性表面波）フィルタを有している。ＳＡＷフィルタは、前記周波数変換信号を復調部に与え、該復調部に、前記周波数変換信号を音声信号に変換させる。
【０００４】
従来の受信システムでは、アンテナ部（アンテナ装置）とチューナ部（衛星ラジオチューナ）とは互いに分離した状態で構成されている。換言すれば、従来のアンテナ装置は、衛星波または地上波を受信するアンテナ素子と、このアンテナ素子で受信された電波を増幅して受信信号を出力する低雑音増幅器（ＬＮＡ：Low Noise Amplifier）とから構成されている。
【０００５】
一方、受信機本体（ヘッドユニット）は、衛星ラジオチューナを搭載したチューナ搭載ヘッドユニットと、衛星ラジオチューナを搭載しないチューナ未搭載ヘッドユニットとに分類される。
【０００６】
図１および図２に、それぞれ、第１および第２の従来の受信システムを示す。図１に示した第１の従来の受信システム１０Ａは、ヘッドユニットとしてチューナ搭載ヘッドユニット３０Ａを使用したものであり、図２に示した第２の従来の受信システム１０Ｂは、ヘッドユニットとしてチューナ未搭載ヘッドユニット３０Ｂを使用したものである。
【０００７】
図１に示されるように、第１の従来の受信システム１０Ａは、アンテナ装置２０Ａと、チューナ搭載ヘッドユニット３０Ａとを備えている。アンテナ装置２０Ａとチューナ搭載ヘッドユニット３０ＡとはＲＦ同軸ケーブル４０Ａを介して接続されている。アンテナ装置２０Ａは、アンテナ素子２１と、低雑音増幅器（ＬＮＡ）２２とから構成されている。チューナ搭載ヘッドユニット３０Ａは、衛星ラジオチューナ６０Ａを搭載している。
【０００８】
図２に示されるように、第２の従来の受信システム１０Ｂは、アンテナ装置２０Ａと、チューナ未搭載ヘッドユニット３０Ｂと、衛星ラジオレシーバ５０とを備えている。アンテナ装置２０Ａと衛星ラジオレシーバ５０とはＲＦ同軸ケーブル４０Ａを介して接続されている。衛星ラジオレシーバ５０とチューナ未搭載ヘッドユニット３０Ｂとはバスケーブル４０Ｂを介して接続されている。衛星ラジオレシーバ５０は衛星ラジオチューナ６０Ａを搭載している。
【０００９】
図１に図示した構成の第１の従来の受信システム１０Ａでは、衛星ラジオ放送の視聴契約に拘らず、セットメーカは、衛星ラジオチューナ対応モデルを設計する際に、ヘッドユニット（外部機器）３０Ａに衛星ラジオチューナ６０Ａを搭載する必要がある。
【００１０】
一方、図２に図示した第２の従来の受信システム１０Ｂでは、ヘッドユニット（外部機器）３０Ｂの他に、衛星ラジオチューナ６０Ａを搭載した衛星ラジオレシーバ５０が別途必要になる。
【００１１】
また、ＲＦ同軸ケーブル４０Ａは、利得損失があるので、そのケーブル長さをあまり長くできないという問題もある。
【００１２】
そこで、本願出願人等は、衛星ラジオ放送を聴取するために、衛星ラジオチューナを外部機器内に搭載する必要がなく、しかも、衛星ラジオレシーバが不要な、アンテナ装置を提案した（特願２００５年第２０５３７号）。
【００１３】
このアンテナ装置は、衛星波又は地上波を受信して受信信号を出力するアンテナ部と、受信信号を該受信信号の周波数よりも低い周波数を持つ周波数変換信号に変換する周波数変換部と、周波数変換信号を音声信号に変換する復調部と、音声信号を外部機器へ送出するための出力信号に変換するインターフェース部とを備えている。周波数変換部は、前記周波数変換信号を通過させるフィルタを含んでいる。
【００１４】
より詳細には、アンテナ装置は、第１及び第２の主面を有する回路基板を有している。アンテナ部は、第１の主面上に搭載され、周波数変換部、復調部、インターフェース部、及びフィルタは、第２の主面上に搭載されている。
【００１５】
第２の主面上には、フィルタの電磁シールドをするフィルタカバーが搭載されている。更に、第２の主面上には、周波数変換部と復調部とインターフェース部とフィルタカバーとを覆うように、外部シールドカバー（アルミダイカスト）が搭載されている。外部シールドカバーは、周波数変換部と復調部とインターフェース部とフィルタカバーとの電磁シールドをするものである。
【００１６】
フィルタカバーは、カバー本体と、外部シールドカバーに対して接触することで、カバー本体のアース取りをするアースばねとを有する。
【００１７】
図３、図４、図５を参照して、第１の従来のフィルタカバーについて説明する。このフィルタカバーでは、カバー本体１２１と、アースばね１２２とは、別個体で、はんだ１２３等による手付けを行い、カバー本体１２１とアースばね１２２とは一体構造となる。この構造では、はんだ１２３等による手付けが必要である。
【００１８】
図６を参照すると、第２の従来のフィルタカバーが示されている。このフィルタカバーは、はんだ付けせずに、カバー本体１２１とアースばね１２２とが一体構造となしたものである。このフィルタカバーは、カバー本体１２１からアースばね１２２を切り起こしたものである。しかし、この構造では、アースばね１２２の跳ね上げにより、カバー本体１２１に穴が開くこととなる。カバー本体１２１に穴が開くことは、フィルタカバーの電磁シールドの効果が薄れて劣化してしまう。
【００１９】
特許文献１には、シールドカバーの周辺に電子部品の外形で位置決めできるスリットを設け、シールドカバーは実装したときに電子部品と電子部品との隙間にスリットをはめこみ、シールドカバーの周囲には、ツバを設け、基板の基準電位の周囲の銅箔上に当該ツバを当接するようにした電子機器のシールド構造が示されている。しかし、このシールドカバーは、電子部品と電子部品との隙間にスリットをはめこみ、実装される構造であるため、実装に複数の電子部品が必要であり、シールドカバーの実装に自由度がない。
【００２０】
特許文献２には、シールドケースの上面側から突出し、金属シートに電気的に接触するバネ部材が開示されている。しかし、この構造では、シールドケースとバネ部材とは別部品として形成し、その後、一体構造とするための作業が必要である。
【００２１】
特許文献３には、アースを取るための舌片を蓋体から切り起こすようにしたシールドケースが開示されている。しかし、この構造では、図６のフィルタカバーと同様に、蓋体には、切り起こしにより、穴が開くこととなる。
【００２２】
特許文献４には、ベースカバーの表面に切起しにより形成した舌片状のアース爪が開示されている。これも、蓋体に、穴が開くこととなる。
【００２３】
特許文献５には、蓋体から切り起こされた舌片を介して蓋体のアースを取るようにしたシールドケースが開示されている。これも、蓋体に、穴が開くこととなる。
【００２４】
【特許文献１】特開２０００−５９０６５号公報
【特許文献２】特開２０００−２４４１６８号公報
【特許文献３】特開２００２−２９９８７５号公報
【特許文献４】特開平６−２７５９７９号公報
【特許文献５】特開平８−１３９４８７号公報
【発明の開示】
【発明が解決しようとする課題】
【００２５】
上述のように、従来は、カバー本体とアースばねとが一体構造となった、穴の開かない、電磁シールドの効果が良好な、フィルタカバーを得ることができない。  従って、本発明の第１の課題は、カバー本体とアースばねとが一体構造となった、穴の開かない、電磁シールドの効果が良好な、フィルタカバーを得ることにある。
【００２６】
本発明の第２の課題は、上記の第１の課題を達成したフィルタカバーを回路基板に実装する方法を提供することにある。
【００２７】
本発明の第３の課題は、上記の第１の課題を達成したフィルタカバーを有するアンテナ装置を提供することにある。
【課題を解決するための手段】
【００２８】
本発明の第１の態様によれば、
回路基板（２３）の主面（２３ｂ）上に搭載されたフィルタ（１００）の電磁シールドをするためのフィルタカバー（１１０）を、前記主面に実装する方法であって、
前記フィルタカバーは、前記フィルタの上部を覆うカバー上板（１１１）と、前記フィルタの側部の少なくとも一部を覆う少なくとも３面のカバー側板（１１２１、１１２２、１１２３）と、前記カバー上板の端部から前記カバー上板の上方に延在し、前記フィルタカバーのアース取りをするアース板ばね（１１３）とを有する形状を有しているフィルタカバー実装方法において、
前記カバー上板となるべき上板部分（１１１’）と、前記少なくとも３面のカバー側板となるべき側板部分（１１２１’、１１２２’、１１２３’）と、前記アース板ばねとなるべき板ばね部分（１１３’）とを有する平板状のカバー（１１０’）を、用意するステップと、
該平板状のカバーを上記形状に折り曲げて前記フィルタカバーを得るステップと、
前記フィルタカバーを、前記平板状のカバーを上記形状に折り曲げた状態で、前記カバー上板が前記フィルタの上部を覆い、かつ、前記少なくとも３面のカバー側板が前記フィルタの側部を覆うように、前記主面に実装するステップとを含むことを特徴とするフィルタカバー実装方法が得られる。
【００２９】
本発明の第２の態様によれば、
回路基板（２３）の主面（２３ｂ）上に搭載されたフィルタ（１００）の電磁シールドをするためのフィルタカバー（１１０）を、前記主面に実装する方法であって、
前記フィルタカバーは、前記フィルタの上部を覆うカバー上板（１１１）と、前記フィルタの側部を覆う４面のカバー側板（１１２１、１１２２、１１２３、１１２４）と、前記カバー上板の端部から前記カバー上板の上方に延在し、前記フィルタカバーのアース取りをするアース板ばね（１１３）とを有する形状を有しているフィルタカバー実装方法において、
前記カバー上板となるべき上板部分（１１１’）と、前記４面のカバー側板となるべき側板部分（１１２１’、１１２２’、１１２３’、１１２４’）と、前記アース板ばねとなるべき板ばね部分（１１３’）とを有する平板状のカバー（１１０’）を、用意するステップと、
該平板状のカバーを上記形状に折り曲げて前記フィルタカバーを得るステップと、
前記フィルタカバーを、前記平板状のカバーを上記形状に折り曲げた状態で、前記カバー上板が前記フィルタの上部を覆い、かつ、前記４面のカバー側板が前記フィルタの側部を覆うように、前記主面に実装するステップとを含むことを特徴とするフィルタカバー実装方法が得られる。
【００３０】
本発明の第３の態様によれば、
衛星波又は地上波を受信して受信信号を出力するアンテナ部（２１）と、前記受信信号を該受信信号の周波数よりも低い周波数を持つ周波数変換信号に変換する際に、前記周波数変換信号を通過させるのに用いられるフィルタ（１００）と、前記周波数変換信号を音声信号に変換する復調部（６２）と、互いに対向する第１及び第２の主面（２３ａ及び２３ｂ）を有する回路基板（２３）とを含み、
前記アンテナ部は、前記第１の主面上に搭載され、
前記フィルタ及び前記復調部は、前記第２の主面上に搭載されているアンテナ装置であって、
前記アンテナ装置は、前記第２の主面上に搭載され、前記フィルタの電磁シールドをするフィルタカバー（１１０）を、更に備え、
前記フィルタカバーは、前記フィルタの上部を覆うカバー上板（１１１）と、前記フィルタの側部の少なくとも一部を覆う少なくとも３面のカバー側板（１１２１、１１２２、１１２３）と、前記カバー上板の端部から前記カバー上板の上方に延在し、前記フィルタカバーのアース取りをするアース板ばね（１１３）とを有する形状を有し、
前記フィルタカバーは、予め、前記カバー上板となるべき上板部分（１１１’）と、前記少なくとも３面のカバー側板となるべき側板部分（１１２１’、１１２２’、１１２３’）と、前記アース板ばねとなるべき板ばね部分（１１３’）とを有する平板状のカバー（１１０’）を、上記形状に折り曲げた状態で、前記第２の主面に実装されていることを特徴とするアンテナ装置が得られる。
【００３１】
本発明の第４の態様によれば、
衛星波又は地上波を受信して受信信号を出力するアンテナ部（２１）と、前記受信信号を該受信信号の周波数よりも低い周波数を持つ周波数変換信号に変換する際に、前記周波数変換信号を通過させるのに用いられるフィルタ（１００）と、前記周波数変換信号を音声信号に変換する復調部（６２）と、互いに対向する第１及び第２の主面（２３ａ及び２３ｂ）を有する回路基板（２３）とを含み、
前記アンテナ部は、前記第１の主面上に搭載され、
前記フィルタ及び前記復調部は、前記第２の主面上に搭載されているアンテナ装置であって、
前記アンテナ装置は、前記第２の主面上に搭載され、前記フィルタの電磁シールドをするフィルタカバー（１１０）を、更に備え、
前記フィルタカバーは、前記フィルタの上部を覆うカバー上板（１１１）と、前記フィルタの側部を覆う４面のカバー側板（１１２１、１１２２、１１２３、１１２４）と、前記カバー上板の端部から前記カバー上板の上方に延在し、前記フィルタカバーのアース取りをするアース板ばね（１１３）とを有する形状を有し、
前記フィルタカバーは、予め、前記カバー上板となるべき上板部分（１１１’）と、前記４面のカバー側板となるべき側板部分（１１２１’、１１２２’、１１２３’、１１２４’）と、前記アース板ばねとなるべき板ばね部分（１１３’）とを有する平板状のカバー（１１０’）を、上記形状に折り曲げた状態で、前記第２の主面に実装されていることを特徴とするアンテナ装置が得られる。
【００３２】
本発明の第５の態様によれば、
衛星波又は地上波を受信して受信信号を出力するアンテナ部（２１）と、前記受信信号を該受信信号の周波数よりも低い周波数を持つ周波数変換信号に変換する周波数変換部（６１１、６１２、１００）と、前記周波数変換信号を音声信号に変換する復調部（６２）と、前記音声信号を外部機器へ送出するための出力信号に変換するインターフェース部（６３）と、互いに対向する第１及び第２の主面（２３ａ及び２３ｂ）を有する回路基板（２３）とを含み、
前記周波数変換部は、前記周波数変換信号を通過させるフィルタ（１００）を含み、
前記アンテナ部は、前記第１の主面上に搭載され、
前記周波数変換部、前記復調部、前記インターフェース部、及び前記フィルタは、前記第２の主面上に搭載されているアンテナ装置であって、
前記アンテナ装置は、前記第２の主面上に搭載され、前記フィルタの電磁シールドをするフィルタカバー（１１０）と、前記第２の主面上に、前記周波数変換部と前記復調部と前記インターフェース部と前記フィルタカバーとを覆うように、搭載され、前記周波数変換部と前記復調部と前記インターフェース部と前記フィルタカバーとの電磁シールドをする外部シールドカバー（２５）とを、更に備え、
前記フィルタカバーは、前記フィルタの上部を覆うカバー上板（１１１）と、前記フィルタの側部の少なくとも一部を覆う少なくとも３面のカバー側板（１１２１、１１２２、１１２３）と、前記カバー上板の端部から前記カバー上板の上方に延在し、前記外部シールドカバーに対して接触することで、前記フィルタカバーのアース取りをするアース板ばね（１１３）とを有する形状を有し、
前記フィルタカバーは、予め、前記カバー上板となるべき上板部分（１１１’）と、前記少なくとも３面のカバー側板となるべき側板部分（１１２１’、１１２２’、１１２３’）と、前記アース板ばねとなるべき板ばね部分（１１３’）とを有する平板状のカバー（１１０’）を、上記形状に折り曲げた状態で、前記第２の主面に実装されていることを特徴とするアンテナ装置が得られる。
【００３３】
本発明の第６の態様によれば、
衛星波又は地上波を受信して受信信号を出力するアンテナ部（２１）と、前記受信信号を該受信信号の周波数よりも低い周波数を持つ周波数変換信号に変換する周波数変換部（６１１、６１２、１００）と、前記周波数変換信号を音声信号に変換する復調部（６２）と、前記音声信号を外部機器へ送出するための出力信号に変換するインターフェース部（６３）と、互いに対向する第１及び第２の主面（２３ａ及び２３ｂ）を有する回路基板（２３）とを含み、
前記周波数変換部は、前記周波数変換信号を通過させるフィルタ（１００）を含み、
前記アンテナ部は、前記第１の主面上に搭載され、
前記周波数変換部、前記復調部、前記インターフェース部、及び前記フィルタは、前記第２の主面上に搭載されているアンテナ装置であって、
前記アンテナ装置は、前記第２の主面上に搭載され、前記フィルタの電磁シールドをするフィルタカバー（１１０）と、前記第２の主面上に、前記周波数変換部と前記復調部と前記インターフェース部と前記フィルタカバーとを覆うように、搭載され、前記周波数変換部と前記復調部と前記インターフェース部と前記フィルタカバーとの電磁シールドをする外部シールドカバー（２５）とを、更に備え、
前記フィルタカバーは、前記フィルタの上部を覆うカバー上板（１１１）と、前記フィルタの側部を覆う４面のカバー側板（１１２１、１１２２、１１２３、１１２４）と、前記カバー上板の端部から前記カバー上板の上方に延在し、前記外部シールドカバーに対して接触することで、前記フィルタカバーのアース取りをするアース板ばね（１１３）とを有する形状を有し、
前記フィルタカバーは、予め、前記カバー上板となるべき上板部分（１１１’）と、前記４面のカバー側板となるべき側板部分（１１２１’、１１２２’、１１２３’、１１２４’）と、前記アース板ばねとなるべき板ばね部分（１１３’）とを有する平板状のカバー（１１０’）を、上記形状に折り曲げた状態で、前記第２の主面に実装されていることを特徴とするアンテナ装置が得られる。
【００３４】
上述のフィルタカバー実装方法及びアンテナ装置において、前記フィルタは、ＳＡＷ（Surface Acoustic Wave：弾性表面波）フィルタであっても良い。
【００３５】
尚、上記括弧内の符号は、本発明の理解を容易にするために付したものであり、一例にすぎず、これらに限定されないのは勿論である。
【発明の効果】
【００３６】
本発明によれば、カバー上板及びカバー側板からなるカバー本体とアースばねとが一体構造となった、穴の開かない、電磁シールドの効果が良好な、フィルタカバーを得ることができる。
【００３７】
更に、本発明によれば、カバー上板及びカバー側板からなるカバー本体とアースばねとが一体構造となった、穴の開かない、電磁シールドの効果が良好な、フィルタカバーを回路基板に実装することができる。
【００３８】
また、本発明によれば、カバー上板及びカバー側板からなるカバー本体とアースばねとが一体構造となった、穴の開かない、電磁シールドの効果が良好な、フィルタカバーを有するアンテナ装置を得ることができる。
【発明を実施するための最良の形態】
【００３９】
以下、図面を参照して、本発明の実施の形態について詳細に説明する。
【００４０】
図７を参照して、本発明の一実施の形態に係るアンテナ装置２０を備えた受信システム１０について説明する。
【００４１】
図示の受信システム１０は、衛星ラジオチューナ６０を搭載したアンテナ装置２０と、外部機器であるチューナ未搭載ヘッドユニット３０とを備え、アンテナ装置２０とチューナ未搭載ヘッドユニット３０とはシリアルバスケーブル４０を介して接続されている。アンテナ装置２０はアンテナ素子２１を有する。
【００４２】
図７に加えて図８をも参照して、アンテナ装置２０に搭載された衛星ラジオチューナ６０は、衛星ラジオチューナ部６１と、復調部６２と、インターフェース部６３と、ＣＰＵ６４とを有する。
【００４３】
衛星ラジオチューナ部６１は、アンテナ素子２１で受信された受信信号（約２．３ＧＨｚ帯の高周波信号）を、該受信信号の周波数よりも低い周波数を持つ周波数変換信号に変換する周波数変換部（後に詳述する）を有する。この周波数変換信号は、具体的には、中間周波（ＩＦ：Intermediate Frequency）信号であり、２３ＭＨｚ帯の周波数の信号である。この周波数変換信号は、復調部６２で音声信号に変換されて、インターフェース部６３に供給される。インターフェース部６３は、音声信号を外部機器であるヘッドユニット３０へ送出するための出力信号に変換する。インターフェース部６３は、音声信号をシリアル信号へ変換する音声／シリアル変換部として働く。シリアル信号はシリアルバスケーブル４０を介してヘッドユニット３０へ送出される。尚、ＣＰＵ６４は、復調部６２とインターフェース部６３とを制御する。
【００４４】
一方、ヘッドユニット３０は、アンテナ装置２０から送出されたシリアル信号をシリアルバスケーブル４０を介して受けるインターフェース部３１を含む。このインターフェース部３１は、この受けたシリアル信号を音声信号に変換するシリアル／音声変換部として働く。
【００４５】
このように、本受信システムでは、アンテナ装置２０側で音声信号をシリアル信号に変換し、ヘッドユニット３０側でシリアル信号を、再度、音声信号に変換している。
【００４６】
このような構成によれば、ユーザは、安価に衛星ラジオ対応のヘッドユニット３０を購入することができる。そして、衛星ラジオ放送の視聴を決定した後、ユーザは本アンテナ装置２０を購入することで、容易に衛星ラジオ放送を視聴することができる。また、アンテナ装置２０とヘッドユニット３０との間のデータの授受をシリアルバスケーブル４０を介して行っているので、従来のようなＲＦ同軸ケーブル４０Ａの利得の損失を考えなくて良い。そのため、シリアルバスケーブル４０の長さを長くすることができる。
【００４７】
次に、図９乃至図１２を参照して、アンテナ装置２０の構成について説明する。図示のアンテナ装置２０は平面アンテナである。アンテナ装置２０は、矩形の金属板から成る平面アンテナ素子２１を有する。この平面アンテナ素子２１と平行、且つ、所定間隔を空けて回路基板２３が配設されている。回路基板２３は、互いに対向する上面（第１の主面）２３ａ及び裏面（第２の主面）２３ｂを有する。この回路基板２３の上面にはグランドパターンが形成されている。平面アンテナ素子２１と回路基板２３との間に給電導体２４が配設されている。
【００４８】
図１３を参照して、回路基板２３の裏面（底面）２３ｂ上には、上述した衛星ラジオチューナ部６１、復調部６２、インターフェース部６３、およびＣＰＵ６４を含む各種電子部品が配置されている。復調部６２はベースバンドＩＣで構成されている。インターフェース部６３はインターフェースチップで構成されている。
【００４９】
衛星ラジオチューナ部６１は、低雑音増幅器（ＬＮＡ）２２と、チューナＩＣ６１１と、局部発発振器６１２と、ＳＡＷフィルタ１００とを含む。低雑音増幅器２２は、アンテナ素子２１で受信された受信信号（約２．３ＧＨｚ帯の高周波信号）を増幅する。チューナＩＣ６１１と、局部発発振器６１２と、ＳＡＷフィルタ１００とは、低雑音増幅器２２の出力信号を、該出力信号よりも低い周波数を持つ周波数変換信号（２３ＭＨｚ帯の中間周波信号）に変換する周波数変換部を構成する。この周波数変換信号の周波数は、低雑音増幅器２２の出力信号の周波数と局部発振器６１２の局部発振周波数とにより決まる。ＳＡＷフィルタ１００は、周波数変換信号を通過させるフィルタである。
【００５０】
図１４を参照して、回路基板２３の裏面（第２の主面）２３ｂ上には、ＳＡＷフィルタ１００（図１３）の電磁シールドをするためのフィルタカバー１１０が実装される。
【００５１】
図１５を参照すると、フィルタカバー１１０は、フィルタ１００（図１３）の上部を覆うカバー上板１１１と、フィルタ１１０の側部の少なくとも３面を覆う少なくとも３面のカバー側板１１２１、１１２２、１１２３と、カバー上板１１１の端部からカバー上板１１１の上方に延在し、外部シールドカバー（図９、図１１、及び図１２の２５）に対して接触することで、フィルタカバー１１０のアース取りをするアース板ばね１１３とを有する形状を有している。
【００５２】
外部シールドカバー（図９、図１１、及び図１２の２５）は、回路基板２３の裏面（第２の主面）２３ｂ上に、図１４における、衛星ラジオチューナ部（周波数変換部を含む）６１と復調部６２とインターフェース部６３とフィルタカバー１１０とを覆うように、搭載され、衛星ラジオチューナ部（周波数変換部を含む）６１と復調部６２とインターフェース部６３とフィルタカバー１１０との電磁シールドをするものである。
【００５３】
図１６を参照して、フィルタカバー１１０を回路基板２３の裏面（第２の主面）２３ｂに実装する際には、平板状のカバー１１０’を、まず、用意する。平板状のカバー１１０’は、カバー上板となるべき上板部分１１１’と、少なくとも３面のカバー側板となるべき側板部分１１２１’、１１２２’、１１２３’と、アース板ばねとなるべき板ばね部分１１３’とを有する。次に、平板状のカバー１１０’を上記形状に折り曲げて、フィルタカバー１１０を得る。この際、フィルタカバー１１０は、板ばね部分１１３’が上板部分１１１’に対して、上板部分１１１’の上方に延在するように折り曲げられ、側板部分１１２１’、１１２２’、１１２３’が上板部分１１１’に対して、直交するように、上板部分１１１’の裏側に折り曲げられて、形成される。
【００５４】
次に、図１７に示すように、このフィルタカバー１１０を、平板状のカバー１１０’を上記形状に折り曲げた状態で、回路基板２３の裏面（第２の主面）２３ｂに実装する。図示の例では、フィルタカバー１１０の底部３箇所が半田１２０を用いて回路基板２３の裏面２３ｂに実装される。
【００５５】
このようにして、図１７においては、図１５のフィルタカバー１１０が半田１２０を用いて回路基板２３の裏面２３ｂに実装された。
【００５６】
ここで、図１７において、図１５のフィルタカバー１１０の代りに、図１８の別の形状を有するフィルタカバー１１０が半田１２０を用いて回路基板２３の裏面２３ｂに実装されても良い。以下、図１８の別の形状を有するフィルタカバー１１０について説明する。
【００５７】
図１８において、このフィルタカバー１１０は、フィルタ１００（図１３）の上部を覆うカバー上板１１１と、フィルタ１１０の側部を覆う４面のカバー側板１１２１、１１２２、１１２３、１１２４と、カバー上板１１１の端部からカバー上板１１１の上方に延在し、外部シールドカバー（図９、図１１、及び図１２の２５）に対して接触することで、フィルタカバー１１０のアース取りをするアース板ばね１１３とを有する形状を有している。
【００５８】
図１９を参照して、フィルタカバー１１０を回路基板２３の裏面（第２の主面）２３ｂに実装する際には、平板状のカバー１１０’を、まず、用意する。平板状のカバー１１０’は、カバー上板となるべき上板部分１１１’と、４面のカバー側板となるべき側板部分１１２１’、１１２２’、１１２３’、１１２４’と、アース板ばねとなるべき板ばね部分１１３’とを有する。次に、平板状のカバー１１０’を上記形状に折り曲げて、フィルタカバー１１０を得る。この際、フィルタカバー１１０は、板ばね部分１１３’が上板部分１１１’に対して、上板部分１１１’の上方に延在するように折り曲げられ、側板部分１１２１’、１１２２’、１１２３’が上板部分１１１’に対して、直交するように、上板部分１１１’の裏側に折り曲げられて、側板部分１１２４’が側板部分１１２２’、１１２３’に対して、直交し、上板部分１１１’に対して、直交するように、折り曲げられて、形成される。
【００５９】
図９に戻って、これら各種電子部品は、電磁シールド用の金属カバー（例えば、アルミダイカストからなる外部シールドカバー）２５で覆われている。上述した各構成要素はアッパーケース２６とロワーケース２７によって形成されるケース内に収納される。尚、符号２８はパッキング、符号２９はケーブル及びブッシングである。
【００６０】
図１２に戻って、アッパーケース２６に一体的に突設されている４つの突部２６１によって、アッパーケース２６とアンテナ素子２１とが位置決めされる。突部２６１の先端を溶着することによりアンテナ素子２１がアッパーケース２６に固定される。
【００６１】
回路基板２３は、アッパーケース２６に一体的に突設されている４つの突部２６２にネジ止めされ、アンテナ素子２１との高さ方向の距離が位置決めされる。
【００６２】
パッキング２８は、環状に溝２８１を有して設けられる。アッパーケース２６に、一体的に形成され、かつアンテナユニットの周囲に環状に突設される壁部２６３が設けられている。パッキング２８は、溝２８１にアッパーケース２６の壁部２６３を挿入して取り付けられ、ロワーケース２７の内壁に一体形成された壁部２７１との間で押しつぶされて防水構造としている。
【００６３】
アッパーケース２６の壁部２６３の周囲に８個の柱状部材２６４が一体的に設けられている。ロワーケース２７にもこれら柱状部材２６４と対応する位置に柱状部材２７２が設けられている。両柱状部材２６４、２７２をネジ止めすることによりアッパーケース２６とロワーケース２７とが固定される。
【００６４】
ロワーケース２７の壁部２７１には、ケーブル及びブッシング２９のブッシングが圧入されるＵ字状の切り欠き２７１ａが形成される。ケーブル及びブッシング２９のブッシングは、このロワーケース２７の切り欠き２７１ａの部分が挿入されるＵ字状の溝２９１を持つ。そして、このブッシングの上面でパッキング２８が押しつぶされて防水構造としている。
【００６５】
以上、本発明について好ましい実施の形態によって説明してきたが、本発明は上述した実施の形態に限定しないのは勿論である。本発明に係るアンテナ装置は、車載用電化製品、家庭用電化製品、携帯機器、ゲーム機器、パーソナルコンピュータ等の幅広い分野において使用することができる。また、ディスプレイコントローラを使用することで、衛星ラジオ対応でない機器でも衛星ラジオ放送を視聴することができる。
【図面の簡単な説明】
【００６６】
【図１】第１の従来の受信システムを示すブロック図である。
【図２】第２の従来の受信システムを示すブロック図である。
【図３】第１の従来のフィルタカバーのカバー本体の４面図である。
【図４】第１の従来のフィルタカバーのアースばねの３面図である。
【図５】第１の従来のフィルタカバーの３面図である。
【図６】第２の従来のフィルタカバーの５面図である。
【図７】本発明の一実施の形態に係るアンテナ装置を備えた受信システムを示すブロック図である。
【図８】図７に示された受信システムに使用されるアンテナ装置の構成を示すブロック図である。
【図９】図７に示される受信システムに使用されるアンテナ装置の分解斜視図である。
【図１０】図９に示されたアンテナ装置を、アッパーケースを除いた状態で示す組立斜視図である。
【図１１】図９に示されたアンテナ装置を、ロワーケースを除いた状態で示す組立斜視図である。
【図１２】図９に示されたアンテナ装置の断面図である。
【図１３】図９に示されたアンテナ装置に使用される回路基板の裏面に搭載される各種電子部品を、フィルタカバー実装前の状態にて、示す平面図である。
【図１４】図９に示されたアンテナ装置に使用される回路基板の裏面に搭載される各種電子部品を、フィルタカバー実装後の状態にて、示す平面図である。
【図１５】図１４に示されたフィルタカバーの５面図である。
【図１６】図１５に示されたフィルタカバーの展開図である。
【図１７】図１５に示されたフィルタカバーの回路基板の裏面への実装状態を示す２面図である。
【図１８】図１４に示されたフィルタカバーの代りに回路基板に実装される別のフィルタカバーの５面図である。
【図１９】図１８に示されたフィルタカバーの展開図である。
【符号の説明】
【００６７】
１０    受信システム
２０    アンテナ装置
２１    アンテナ素子
２２    低雑音増幅器（ＬＮＡ）
２３    回路基板
２３ａ    上面（第１の主面）
２３ｂ    裏面（第２の主面）
２４    給電導体
２５    金属カバー
２６    アッパーケース
２７    ロワーケース
３０    ヘッドユニット（外部機器）
３１    インターフェース部（シリアル／音声変換部）
４０    シリアルバスケーブル
６０    衛星ラジオチューナ
６１    チューナ部
６２    復調部
６３    インターフェース部（音声／シリアル変換部）
６４    ＣＰＵ
１００    ＳＡＷフィルタ
１１０    フィルタカバー
１１１    カバー上板
１１２１、１１２２、１１２３、１１２４    カバー側板
１１３    アース板ばね
１１１’    上板部分
１１２１’、１１２２’、１１２３’、１１２４’    側板部分
１１３’    板ばね部分
【図１】
2007189136.tif 000003
【図２】
2007189136.tif 000004
【図３】
2007189136.tif 000005
【図４】
2007189136.tif 000006
【図５】
2007189136.tif 000007
【図６】
2007189136.tif 000008
【図７】
2007189136.tif 000009
【図８】
2007189136.tif 000010
【図９】
2007189136.tif 000011
【図１０】
2007189136.tif 000012
【図１１】
2007189136.tif 000013
【図１２】
2007189136.tif 000014
【図１３】
2007189136.tif 000015
【図１４】
2007189136.tif 000016
【図１５】
2007189136.tif 000017
【図１６】
2007189136.tif 000018
【図１７】
2007189136.tif 000019
【図１８】
2007189136.tif 000020
【図１９】
2007189136.tif 000021